(57)【要約】      （修正有）【課題】飲料ボトル商品に装着された景品のみの持ち去りを防止し、あるいは、取扱者の意に反した景品の入った箱の脱着を防止する盗難防止及び脱落防止機能付き飲料ボトルオンパックを提供する。【解決手段】飲料ボトルのネック部を挿入するための孔をあけた蓋部を有する箱と、その中に収納物と共に配置される緩衝防止パッドから成るものであって、飲料ボトルのキャップと接する緩衝防止パッドの中央部に飲料ボトルのキャップとの接着部を有することを特徴とした盗難防止及び脱落防止機能付き飲料ボトルオンパックである。【選択図】図１
0003144566.tif 000002
【実用新案登録請求の範囲】
【請求項１】
飲料ボトルのネック部を挿入するための孔をあけた蓋部を有する箱と、その中に収納物と共に配置される緩衝防止パッドから成るものであって、飲料ボトルのキャップと接する緩衝防止パッドの中央部に飲料ボトルのキャップとの接着部を有することを特徴とした盗難防止及び脱落防止機能付き飲料ボトルオンパック。
【請求項２】
飲料ボトルのネック部を挿入するための孔をあけた蓋部を有する箱の側面部において、開封のためのミシン目から成る切り取り線を施したことを特徴とする請求項１記載の盗難防止及び脱落防止機能付き飲料ボトルオンパック。
【請求項３】
収納物と共に配置される緩衝防止パッドに指を挿入できる孔を設けたことを特徴とする請求項１または請求項２記載の盗難防止及び脱落防止機能付き飲料ボトルオンパック。
【考案の詳細な説明】
【技術分野】
【０００１】
本考案は、日本酒、ワイン、ウィスキー、焼酎等の酒類や清涼飲料水等の飲料ボトルのキャップに接着することのできる、収納物となる景品等を収納可能な盗難防止及び脱落防止機能付き飲料ボトルオンパックに関するものである。
【背景技術】
【０００２】
従来から、日本酒、ワイン、ウィスキー、焼酎等の酒類や清涼飲料水等の販売促進用として景品を顧客に対して無償で提供（プレゼント）していた。その場合、前記日本酒、ワイン、ウィスキー、焼酎等の酒類や清涼飲料水の入ったこれらの飲料ボトル商品を購入した顧客に対して、対価の支払い時に個別に景品を渡していた。しかしその場合では顧客が実際にその景品を目にするのは商品の購入後ということになり、実際の売り場において、その商品は単品で置かれているため、購入後に景品を顧客にプレゼントしたのでは、景品を含めた商品と他の商品を比較することができなかった。そのため、景品をプレゼントしたとしてもその商品の販売促進にむすびつけるのは困難であった。
【０００３】
そのような場合に、これら飲料ボトル商品について、景品を粘着テープやゴム紐等の固定手段を用いて、飲料ボトル商品に固着して店頭に並べ販売することとしていた。この場合に、飲料ボトルを店頭で販売するときに、顧客の目に触れることになるため、景品のプレゼントがない他社製品との差別化が図りやすく、当該商品の販売促進につながるものであった。
【０００４】
しかしながら店頭において、小売店の従業員が、飲料ボトルに粘着テープで景品を固着することは人手不足の折困難であるので、景品を箱に入れ、その景品の入った箱を飲料ボトルのネック部にかぶせた状態で日本酒、ワイン、ウィスキー、焼酎等の酒類あるいは清涼飲料水等の商品を小売店に納品する方法が主流となった。それがいわゆるボトルオンパック方式と呼ばれるものである。
【０００５】
この方式では景品の入った箱が小売店に搬入される際にはすでに商品に取り付けられていて、しかも飲料ボトルの商品のネック部に景品が収まった箱がかぶせられまたは乗せられているので顧客の目につきやすく、小売店の従業員が飲料ボトルに粘着テープで景品を固着する場合と比べ整然と商品を並べることができるのでさらに販売促進が図られることになり、また、同時に小売店の従業員も上記商品を店頭に並べるだけで足りるので取り扱いが容易であった。また景品が割れやすいガラス製品であった場合は箱に収められているので破損の心配が少なくなった。
【０００６】
しかしながら、前記ボトルオンパック方式では景品を、日本酒、ワイン、ウィスキー、焼酎等の酒類や清涼飲料水等の商品とともに顧客に対し陳列することができるものの、前記景品の入った箱は、前記飲料ボトルのネック部に装着しただけであるので、商品とともに陳列する景品が特に顧客の注意をひくようなものであった場合、あるいは比較的高価なものであった場合は、販売促進効果は上がるものの、その一方で景品のみが持ち去られる場合がある。そのような場合に景品を持ち去られたものは少数であっても。同じ商品で景品の付いた商品と、付いていない商品が同時に売り場に並ぶこととなるため、ほぼ必ずと言ってよいほど景品の付いていない商品が売れ残ることになる。そのため持ち去られた景品を補充しなくてはならず、その景品の対価のみならず、景品が商品に装着されるまでの間は、その商品は販売できないこととなるため、その間の間接経費が嵩んでしまうことになる。特に景品の人気が高いとこのようなことが起こりやすくなり、持ち去られる数が多くなると、必然的にその損害も大きなものとなる。
【０００７】
また、販売店に納品する前の流通段階においても前記のいわゆるボトルオンパック方式のため、日本酒、ワイン、ウィスキー、焼酎等の酒類や清涼飲料水等の商品から、景品の収まった箱が、不注意により取扱者の意に反して脱落することがあり、破損あるいは紛失の原因ともなっていた。しかし脱着防止のために新たな形状の箱を作るためには、箱を製作するための新たな型を作成しなければならず、型の費用が別に発生してしまうことになる。また従来使用していた箱を廃棄処分すると、地球環境を害することとなってしまうため世の中のエコロジー活動に反することになってしまう。
【考案の開示】
【考案が解決しようとする課題】
【０００８】
本考案は、上記問題点を解決するために、ボトルオンパック方式で飲料ボトル商品に装着された景品のみの持ち去りを防止し、あるいは、取扱者の意に反した景品の入った箱の脱着を防止することと共に景品を取り出しやすくすることを課題とする。また本考案の他の課題は比較的安価に景品の持ち去りを防止する機能を施すとともに、従来の箱を利用することができる盗難防止及び脱落防止機能付き飲料ボトルオンパックを提供することにある。
【課題を解決するための手段】
【０００９】
上記課題を解決するために、本考案は、飲料ボトルのネック部を挿入するための孔をあけた蓋部を有する箱と、その中に収納物と共に配置される緩衝防止パッドから成るものであって、飲料ボトルのキャップと接する緩衝防止パッドの中央部に飲料ボトルのキャップとの接着部を有することを特徴とした盗難防止及び脱落防止機能付き飲料ボトルオンパックである。
【００１０】
本考案は、飲料ボトルのネック部を挿入するための孔をあけた蓋部を有する箱の側面部において、開封のためのミシン目から成る切り取り線を施したことを特徴とする前記記載の盗難防止及び脱落防止機能付き飲料ボトルオンパックである。
【００１１】
本考案は、収納物と共に配置される緩衝防止パッドに指を挿入できる孔を設けたことを特徴とする前記記載の盗難防止及び脱落防止機能付き飲料ボトルオンパックである。
【考案の効果】
【００１２】
上述のように、本考案は、箱に収納物及び緩衝防止パッドが収納されている場合において、当該箱の蓋の孔部分に飲料ボトルのネック部を挿入することにより、緩衝防止パッドの粘着部分が飲料ボトル等のキャップと接着することになる。前記接着された緩衝防止パッドの羽根部分が箱の蓋部と接触し、さらにその接触した蓋部が外方へすなわち蓋部が開く方向に押されるが、蓋部にある孔と飲料ボトルのネック部が嵌合しているため、多少箱の蓋部がひらいたとしても飲料ボトルの肩部分と接触することで、収納物（景品）のみを商品から取り外すことができなくなり収納物（景品）等の持ち去り防止が図られることになる。ことに景品の持ち去りは軽い気持ちで行われることが多く、本考案のように、かなり力を込めないと外れない構造とすることで、衆人監視の中持ち去り時の動作が大げさなものとなり、心理的な抑制効果が生じ景品の持ち去り防止ができることとなる。また上述の通りかなり力を入れないと景品は商品から外れないため、商品の輸送時に不意に外れることもなくなった。また従来の箱がそのまま使えることになるので新規な型代が不要であるのでコストもさほどかからないものである。
【００１３】
また実際に商品を購入した顧客が商品である飲料ボトルと収納物（景品）を取り外す際に緩衝防止パッドと飲料ボトルのキャップが粘着力に抗して取り外しにくい場合にミシン目から成る切り取り線に沿って箱の側面部を切り取ることで容易に収納物（景品）を箱から取り外することができる。
【００１４】
また、緩衝防止パッドと飲料ボトルのキャップが外しにくい場合は、緩衝防止パッドに設けた指入れ孔に指を挿入し、該緩衝防止パッド引き上げることによって、飲料ボトルと緩衝防止パッドを容易に引き離すことができる。
【考案を実施するための最良の形態】
【００１５】
以下に本考案の好ましい実施例を図面に従って詳細に説明する。図１は本考案に係るボトルオンパックの一例を示す全体分解斜視図。図２は同じくボトルオンパックの装着断面図。図３のうちＡは緩衝防止パッドの中心部に粘着剤を塗布した平面図、Ｂは緩衝防止パッドの羽根部の根元にまで粘着剤を拡大した平面図である。
【００１６】
箱１０はほぼ直方体形状を有し蓋部１１、中蓋部１４、１４、側面部１７ａ、１７ｂ、１７ｃ、１７ｄ及び底面部１９、から構成される。蓋部１１の中央部には、飲料ボトルのネック部４２を挿入するための孔１２があけられている。この蓋部１１に開けられている孔１２は円形でも十分であるが、爪１３を複数有することが好ましい。孔１２に挿入されるボトルのネック部４２の横断面方向の直径のサイズの大小にもかかわらず飲料ボトルネック部を安定させることができるからである。すなわち飲料ボトルネック部が太い場合は爪１３が底面方向に曲げられることで爪１３と飲料ボトルネック部とが密着することになり、箱１０が飲料ボトルに対してがたついたり、傾くことが少なくなるものである。
【００１７】
中蓋部１４は左右対称であるので正面左側のみ説明をする。中蓋部１４の奥行き方向の寸法が箱の奥行き方向の寸法とほぼ等しい。また奥行き方向のほぼ真中であって中蓋端部１６の位置を中心とした半円状の切欠１５を形成する（図１参照）。上記の様に形成された中蓋部を閉じると箱１０中央部において切り欠き１５、１５で形成された円形状の孔が出現する。この孔と前記孔１２とが一致することにより、箱１０の底１９の方向まで貫通する孔となり、この貫通孔の部分に飲料ボトルのネック部４２を挿入することになる。
【００１８】
箱１０の側面部１７ａ、１７ｂ、１７ｃ、１７ｄ、は、ほぼ長方形または正方形であり、１７ｂ及び１７ｄはその上端部に中蓋部１４を有している。また側面部１７ｃはその上端部に蓋部１１を有している。側面部１７ａ、１７ｂ、１７ｃ、１７ｄその側面部を横断するように切り取り線１８を形成することが望ましい。この切り取り線１８はいわゆるミシン目であり、このミシン目を二重にし、さらに切り取り摘み端部１８ａを設けることで、この切り取り摘み端部１８ａをつまむことができ、ミシン目に沿って切り取り掴み端部１８ａを引っ張れば、箱の上部と下部を切り離すことができ、箱から景品を容易に取り出すことができる。特に力の弱いお年寄りや子供に対して有効である。
【００１９】
底部１９はいわゆるワンタッチ底と言われ、底の一部が接着されていて、折りたたまれた箱を形成する際に自動的に底部片が互いに係合することにより、該係合部がロックされ立方体あるいは直方体形状の箱が組み立てられる。このワンタッチ底は公知であるので詳細な説明は省略する。しかしこれに限られず蓋部１１と同様の構造であって、孔が開いていない形状であって底部が開かないように固定されていれば好ましい。
【００２０】
緩衝防止パッド２０は組立前の平面状態において、縦羽根部２１、２１と横羽根部２２、２２、とを有し平面視ほぼ十字形状を呈している。中心部２４を残して、縦羽根部２１、２１と共の横羽根部２２、２２を屹立させることにより、縦羽根部２１、２１と横羽根部２２、２２が共の向かい合うようになり、さらに上方に横断面４角形状の開口部であるほぼ逆台形状を呈する。
【００２１】
緩衝防止パッド２０の中心部２４は、ほぼ４角形状を呈する。この中心部２４に飲料ボトルのキャップ４１と接着させるために接着剤２３ａを塗布する。なお飲料ボトルキャップ４１と接着することができればいわゆる両面テープあるいは公知の接着材であれば好ましい。またこの接着剤或いは接着材は中心部２４だけでなく縦羽根部２１、２１、及び横羽根部２２、２２、の根元部分にまで塗布または貼付することもできる（２３ｂ参照）。飲料ボトルキャップ４１を包み込むように当該キャップ４１の側面部と接着するため飲料ボトルのキャップと緩衝防止パッド２０は確実に接着できることとなる。
【００２２】
カップ３０は収納物たる景品である。たとえばカップ３０あるいは筒状に形成することができればこれに限られず、例えばタオル３２、袋に入ったおつまみ（図示せず）等も丸めることにより飲料ボトルのネック部を挿入することができ、筒状すなわち中空形状のものであればこれらに限ることなく収納することができる。
【００２３】
使用方法としては、図1のように箱部１０の蓋部１１および中蓋部１４、１４を上方に開き、その中に収納物であるカップ３０あるいは、筒状に巻回したタオル３２について、開口部３１を上方に向いた状態にして挿入する。更に前記蓋部１１および中蓋部１４、１４を開口したまま、縦羽根部２１、２１及び横羽根部２２、２２を上方に屹立したほぼ筒状の状態で緩衝防止パッド２０開口部を上方にし、底面部２３を上方に向きに底面部裏部２４を下方に向いた状態で箱１０中に挿入されたカップ３０の中に戴置する。その状態で中蓋部１４、１４を閉じ、さらに蓋部１１を閉じる。
【００２４】
すなわち箱１０の中にカップ３０が挿入されさらに緩衝防止パッド２０が挿入された状態となる。また蓋部１１の孔部１２と中蓋部１４、１４の切り欠き部１５、１５が一致するために蓋部と中蓋部で形成される孔は貫通している。従って当該孔に飲料ボトルのネック部４２に挿入したとすれば、飲料ボトルのキャップ４１が緩衝防止パッドの底部２３に接触することとなる。
【００２５】
前記緩衝防止パッド２０、カップ３０が挿入された箱部１０を上下逆さまにして上記蓋部１１の孔１２に飲料ボトル４０のキャップ４１を挿入する。そのときに飲料ボトル４０のキャップ４１と緩衝防止パッド２０の底面部２４に塗布した接着部２３ａ、及び接着部２３ｂが接着する。尚、飲料ボトル４０のネック部４２の径の太さによって蓋部１１の爪部１３が上方すなわち箱の底部に向かってめくれることにより箱１０の蓋にあいた孔１２の径が飲料ボトルのネック部４２の径と一致することにより飲料ボトル４０の姿勢が安定する。
【００２６】
本考案の１実施例は上述の如きものであるので、前記の状態において、箱部１０を持ちあげたとしても、蓋部１１と緩衝防止パッドの縦羽根部２１、２１および横羽根部２２、２２が接触する。特に、図示のように緩衝防止パッドの先端部が開いている場合は、緩衝防止パッドの縦羽根部２１、２１の先端部２１ａ、２１ａあるいは、横羽根部２２、２２の先端部２２ａ、２２ａが蓋部の折り曲げ部１１ａ、１１ａ、１４ａ、１４ａ付近と接触する。その状態で緩衝防止パッドの縦羽根部及２１、２１及び横羽根部２２、２２が蓋部１１を押すことになるが、蓋部１１が押されたとしても飲料ボトル４０のネック部４２と接触するため蓋部１１は開くことはなく、さらに前記緩衝防止パッド２０の接着部２３ａ等と飲料ボトルの蓋部４１が接着されているので、箱部１０と飲料ボトル４０は容易には外れなくなる。この場合接着力よりも大きい力で引き離せば、飲料ボトル４０と箱１０が離れることになるが、収納物（景品）の持ち去りは軽い気持ちで行われることが多いので、衆人監視の中でそれ以上力を入れて景品を飲料ボトル商品から外して持ち去るものは少なく景品の持ち去りを効果的に防止することができる。なお顧客が飲料ボトル商品を購入後において景品の入った箱１０と飲料ボトル４０とが外しにくい場合は、箱部１０の側面部１７ａに設けた切り取り部１８ａをミシン目に沿って引っ張ることによって箱部１０を上下に切り離すことができ、景品を容易に取り出すことができる。また緩衝防止パッド２０と飲料ボトルのキャップ４１が外しにくい場合は、緩衝防止パッド２０に設けた指入れ孔２５に指を挿入し、該緩衝防止パッド２０引き上げることによって、飲料ボトル４０と緩衝防止パッド２０を容易に引き離すことができる。
【図面の簡単な説明】
【００２７】
【図１】本考案に係るボトルオンパックの一例を示す全体分解斜視図。
【図２】同じくボトルオンパックの装着断面図。
【図３】Ａは緩衝防止パッドの中心部に接着剤を塗布した平面図、Ｂは緩衝防止パッドの羽根部の根元にまで接着剤を拡大した平面図。
【符号の説明】
【００２８】
１０  箱
１１  蓋
１２  蓋の孔
１３  爪
１４  中蓋
１５  切り欠き
２０  緩衝防止パッド
２３ａ、２３ｂ  接着部
３０  カップ
３２  タオル
４０  飲料ボトル
４１  キャップ
４２  ネック部
【図１】
0003144566.tif 000003
【図２】
0003144566.tif 000004
【図３】
0003144566.tif 000005